(57)【要約】【課題】テレビ放送番組の放送時間が当初予定より変更されたことにより、録画中又は録画予定のテレビ放送番組の録画終了時間が後ろにずれ込み、他の録画予約の録画時間と重なってしまうような不都合が生じた際、物理的に可能な範囲で前記不都合を回避して、すべての録画を実行することが可能となる手段を備えた録画装置を提供することを課題とする。【解決手段】録画されるテレビ放送番組の変更された放送時間帯の録画を、変更前の時間帯の録画と同一のテレビチューナを利用して実行すれば、他の録画で利用するテレビチューナを占有することになる場合、利用可能な他のテレビチューナを利用して変更された放送時間帯の録画を実行する。そして、録画終了後に、別々のチューナで録画され、別々のファイルとして格納されている変更前の時間帯のテレビ放送番組コンテンツと、変更された放送時間帯のテレビ放送番組コンテンツを結合する録画装置を提供する。【選択図】図１
2010171687.tif 000002
【特許請求の範囲】
【請求項１】
複数のテレビチューナを有するチューナ部と、
録画部と、
番組録画とその録画に利用するテレビチューナと、を関連付けた録画情報を保持する録画情報保持部と、
録画されるテレビ放送番組の放送時間変更を示す情報である変更情報を取得する変更情報取得部と、
取得した変更情報と録画情報とから、変更された放送時間帯の録画を継続すれば、他の録画で利用するテレビチューナを占有することになるか判断する第一判断部と、
第一判断部での判断結果が占有するとの判断結果である場合、変更された放送時間帯の録画に利用可能な他のテレビチューナがあるか録画情報に基づいて判断する第二判断部と、
第二判断部での判断結果が利用可能な他のテレビチューナありとの判断結果である場合、その利用可能な他のテレビチューナを利用して変更された放送時間帯の録画を行うよう録画情報保持部に書き込む録画情報書込部と、
を有する録画装置。
【請求項２】
第二判断部は、
録画されるテレビ放送番組の変更された放送時間帯に、他のテレビチューナを利用する他の録画がある場合、前記他の録画が、前記放送時間が変更されたテレビ放送番組と同一のテレビチャンネルで放送されるテレビ放送番組についての録画であるか判断するチャンネル判断手段を有し、
チャンネル判断手段での判断結果が同一のテレビチャンネルであるとの判断結果である場合には、利用可能な他のテレビチューナがあると判断する請求項１に記載の録画装置。
【請求項３】
第二判断部での利用可能な他のテレビチューナありとの判断結果に基づいて、異なるテレビチューナにて録画されたテレビ放送番組コンテンツの事前予定時間帯部分と、変更時間帯部分とを、録画終了後に一つのファイルとなるように結合する結合部を有する請求項１または２に記載の録画装置。
【請求項４】
録画部に録画されたテレビ放送番組コンテンツのファイルの一覧情報を保持する一覧情報保持部と、
結合部による結合がある場合に、その結合に応じてファイルの一覧情報を修正する修正部と、
を有する請求項３に記載の録画装置。
【発明の詳細な説明】
【技術分野】
【０００１】
本発明は、テレビ放送番組の予約録画機能を備えた録画装置に関し、より詳細には、ＥＰＧ機能を搭載したハードディスクレコーダ、ＤＶＤレコーダ、ブルーレイレコーダなどの録画装置において、録画予約後のテレビ放送番組の放送時間の延長・変更に対処する機能を備えた録画装置に関する。
【背景技術】
【０００２】
テレビ放送番組を予約録画可能な録画装置が広く普及している。ユーザは、Ｇコードの入力、ＥＰＧ利用、録画日・チャンネル・録画開始時間・録画終了時間などの直接入力などの手段により録画予約を行う。そして、前記録画予約を受付けた録画装置は、受付けた録画予約に従い、所定の時間になるとテレビ放送番組の録画を自動的に開始及び終了する。
【０００３】
ここで、テレビ放送番組の予約録画においては、次のような問題がある。テレビ放送番組は、原則、予め定められた時間から放送を開始し、予め定められた時間で放送を終了するが、スポーツ中継などにおいては、放送時間が延長してしまう場合がある。かかる場合、前記テレビ放送番組の放送終了時間は当初予定から変更することとなる（後ろにずれ込む）。また、前記テレビ放送番組以降にそのテレビチャンネルで放送されるテレビ放送番組の放送開始時間及び放送終了時間は変更することとなる（後ろにずれ込む）。
【０００４】
前記のような事態が生じた場合、放送開始時間、放送終了時間などが変更になったテレビ放送番組を録画予約しているユーザは、変更後の放送開始時間、放送終了時間を示す情報を取得し、録画予約を変更する必要があり不便であった。
【０００５】
そこで、前記不都合を回避した発明として、特許文献１に、ＥＰＧ機能を搭載した録画装置の予約録画方法が開示されている。この録画装置は、ＥＰＧを利用してテレビ放送番組の放送時間変更情報を取得し、前記取得した情報を利用して、録画予約の内容（録画開示時間、録画終了時間など）を自動的に変更するよう構成されている。しかしながら、当該技術の場合、テレビ放送番組の放送時間変更に応じて自動的に変更した録画予約の変更時間帯に、他の録画予約がなされていた場合、前記いずれかの録画予約が実行されないという不都合が生じてしまう。
【０００６】
そこで、前記不都合を回避した発明として、特許文献２に、複数のチューナを有する録画装置の予約録画方法が開示されている。この録画装置は、ＥＰＧを利用してテレビ放送番組の放送時間変更情報を取得し、前記取得した情報を利用して、録画予約の内容（録画開示時間、録画終了時間など）を自動的に変更する。そして、テレビ放送番組の放送時間変更に応じて自動的に変更した録画予約の変更時間帯に、その録画に利用されるテレビチューナを利用して実行される他の予約録画がある場合には、前記他の予約録画を他のテレビチューナを利用して実行するよう変更する。このように構成することで、いずれの録画予約も完全に実行されることを実現している。
【０００７】
しかしながら、当該技術の場合、前記予約録画の変更時間帯に利用可能な他のチューナが余っていない場合、いずれかの録画予約が実行されないという不都合が生じてしまう。また、当該技術の場合、放送時間が変更したテレビ放送番組の録画を延長するよう設定変更する処理、他の予約録画を他のテレビチューナを利用して実行するよう設定変更する処理など、複数の処理を録画中に実行しなければならず、録画装置のデータ処理の負担が大きいという問題がある。
【先行技術文献】
【特許文献】
【０００８】
【特許文献１】特開２００３−４６９２１
【特許文献２】特開２００６−２２９３９６
【発明の概要】
【発明が解決しようとする課題】
【０００９】
そこで、本発明では、従来技術の予約録画機能を備えた録画装置において生じうる前記のような不都合を、物理的に可能な範囲で回避する手段を備えた録画装置を提供することを課題とする。
【課題を解決するための手段】
【００１０】
上記課題を解決するための手段として、次のような録画装置を提供する。録画されるテレビ放送番組の変更した放送時間帯の録画を、変更前の時間帯の録画と同一のテレビチューナを利用して実行すれば、他の番組録画の実行が不可能になる場合、前記変更した放送時間帯の録画を、利用可能な他のテレビチューナを利用して実行する。そして、録画終了後に、別々のチューナで録画され、別々のファイルとして格納されている変更前の時間帯のテレビ放送番組コンテンツと、変更した放送時間帯のテレビ放送番組コンテンツを結合する録画装置などを提供する。
【発明の効果】
【００１１】
本発明の録画装置により、テレビ放送番組の放送時間が当初予定より変更したことにより、録画中のテレビ放送番組の録画終了時間が後ろにずれ込み、他の録画予約の録画時間と重なってしまうような不都合や、または、録画予約の録画開始時間及び録画終了時間が後ろにずれこみ、他の録画予約の録画時間と重なってしまうような不都合などが生じた際にも、物理的に可能な範囲で前記不都合を回避して、すべての録画を実行することが可能となる。また、従来技術よりも録画中に行う処理量を少なくすることが可能となり、録画装置のデータ処理負担を軽減することが可能となる。
【図面の簡単な説明】
【００１２】
【図１】本発明の録画装置が実行する処理を説明するための概念図１
【図２】本発明の録画装置の機能ブロック図の一例
【図３】本発明の録画装置が実行する処理を説明するための概念図２
【図４】本発明の録画装置が実行する処理を説明するための概念図３
【図５】本発明の録画装置のハードウェア構成の一例を示した概念図
【図６】本発明の録画装置の処理の流れの一例を示すフローチャート図
【発明を実施するための形態】
【００１３】
以下に、本発明の実施例を説明する。なお、本発明はこれら実施例に何ら限定されるものではなく、その要旨を逸脱しない範囲内において、様々な態様で実施しうる。
<<実施例>>
<本実施例の概要>
【００１４】
本実施例の録画装置は、複数のテレビチューナを有する。その数は制限されないが、以下、２つのテレビチューナを有する場合を例にとり、本実施例の概要を説明する。
【００１５】
例えば、本実施例の録画装置が、図１（Ａ）に示すように、（イ）「１９時〜２０時：１ＣＨ（スポーツ中継）」、（ロ）「２０時〜２１時：４ＣＨ（バラエティー）」、（ハ）「２１時〜２２時：６ＣＨ（バラエティー）」の３つのテレビ放送番組の録画予約を受付け、（イ）（ロ）（ハ）のすべてをテレビチューナ１で録画するように定めていたとする。そして、（イ）「１９時〜２０時：１ＣＨ（スポーツ中継）」の放送時間が延長し、放送終了時間が２０時３０分に変更したとする。
【００１６】
かかる場合、本実施例の録画装置は、ＥＰＧなどを利用して前記放送時間変更を示す情報を取得すると、テレビ放送番組（イ）「１９時〜２０時：１ＣＨ（スポーツ中継）」の変更した放送時間帯の録画（二）「２０時〜２０時３０分：１ＣＨ（スポーツ中継）」を、（イ）の録画に利用したテレビチューナ（本ケースの場合テレビチューナ１）を利用して実行可能か判断する。本ケースの場合、前記時間帯は、テレビチューナ１を利用して（ロ）「２０時〜２１時：４ＣＨ（バラエティー）」が録画される予定であるので、実行不可能と判断することとなる。
【００１７】
次に、実行不可能と判断すると、本実施例の録画装置は、（二）「２０時〜２０時３０分：１ＣＨ（スポーツ中継）」の録画を行うために利用可能な他のテレビチューナがあるか判断する。本ケースの場合、前記時間帯は、テレビチューナ２が余っているので、利用可能なテレビチューナがあると判断する。
【００１８】
すると、本実施例の録画装置は、図１（Ｂ）に示すように、テレビチューナ２を利用して、（二）「２０時〜２０時３０分：１ＣＨ（スポーツ中継）」を録画するよう定め、録画を実行する。なお、テレビチューナ１での録画は、図１（Ａ）に示す当初予定から何の変更もなく実行される。
【００１９】
そして、本実施例の録画装置は、録画終了後に、テレビチューナ１を利用して録画された（イ）「１９時〜２０時：１ＣＨ（スポーツ中継）」と、テレビチューナ２を利用して録画された（二）「２０時〜２０時３０分：１ＣＨ（スポーツ中継）」とを結合する処理を自動的に行ったり、前記処理に応じて、録画したテレビ放送番組のコンテンツの一覧情報を自動的に編集したりする。
<本実施例の機能的構成>
【００２０】
本実施例の録画装置の機能ブロックの一例を図２に示す。図２に示すように、本実施例の「録画装置」（０２００）は、「チューナ部」（０２０１）と、「録画部」（０２０２）と、「録画情報保持部」（０２０３）と、「変更情報取得部」（０２０４）と、「第一判断部」（０２０５）と、「第二判断部」（０２０６）と、「録画情報書込部」（０２０７）を有する。さらに、「結合部」（０２０８）を有してもよいし、又は／及び、「一覧情報保持部」（０２０９）と「修正部」（０２１０）を有してもよいし、又は／及び、「第二判断部」（０２０６）の「チャンネル判断手段」を有してもよい。
【００２１】
ここで、本装置の機能ブロックは、ハードウェア、ソフトウェア、またはハードウェアおよびソフトウェアの両方として実現され得る。具体的には、コンピュータを利用するものであれば、ＣＰＵやＲＡＭ、バス、あるいは二次記憶装置（ハードディスクや不揮発性メモリ、ＣＤ−ＲＯＭやＤＶＤ−ＲＯＭなどの記憶メディアとそれらメディアの読取ドライブなど）、印刷機器や表示装置、その他の外部周辺装置などのハードウェア構成部やその外部周辺機器用のＩ／Ｏポート、それらハードウェアを制御するためのドライバプログラムやその他アプリケーションプログラム、情報入力に利用されるユーザインターフェイスなどが挙げられる。
【００２２】
またこれらハードウェアやソフトウェアは、ＲＡＭ上に展開したプログラムをＣＰＵで演算処理したり、メモリやハードディスク上に保持されているデータや、インターフェイスを介して入力されたデータなどを加工、蓄積、出力処理したり、あるいは各ハードウェア構成部の制御を行ったりするために利用される。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、および同製品を記憶媒体に固定した記憶媒体も、当然にこの発明の技術的な範囲に含まれる（本明細書の全体を通じて同様である）。
【００２３】
以下、本実施例の「録画装置」（０２００）の機能的構成について詳細に説明する。
【００２４】
「チューナ部」（０２０１）は、複数のテレビチューナを有する。その数は特段限定されず、２個であってもよいし、それ以上であってもよい。テレビチューナは、アンテナで受信した放送信号を受信し、録画用の信号に変換したりする。
【００２５】
「録画部」（０２０２）は、テレビ放送番組を録画するよう構成される。具体的には、録画用映像音声信号を取得し、ＤＶＤやブルーレイ、録画装置内に備えられたＨＤＤなどに記録する。録画部（０２０２）の前記録画処理は、録画予約に従い実行されたり、ＥＰＧ上から現在放送中の一つのテレビ放送番組の録画開始操作を受付けることで実行されたりする。
【００２６】
「録画情報保持部」（０２０３）は、番組録画とその録画に利用するテレビチューナと、を関連付けた録画情報を保持するよう構成されている。ここで、「番組録画」とはテレビ放送番組の録画のことであり、現在実行中の録画と、将来実行予定の録画の両方を含む概念である。すなわち、「録画情報」とは、現在実行中の番組録画と、その録画に利用されているテレビチューナを関連付けた情報と、将来実行予定の番組録画と、その録画に利用されるテレビチューナを関連付けた情報の両方を含む概念である。ここで、「現在実行中の番組録画」とは、録画予約に従い実行されている現在録画中の番組録画であってもよいし、又は、ＥＰＧから現在放送中の一つのテレビ放送番組の録画開始操作を受付けることで実行されている現在録画中の番組録画であってもよい。「将来実行予定の番組録画」とは、録画予約に従い実行される予定の番組録画である。
【００２７】
参考までに、図３に、録画装置が２つのテレビチューナ（テレビチューナ１、テレビチューナ２）を有する場合の録画情報の一例を模式的に示す。図は、２００８年１月１３日１９時時点における録画情報であり、２００８年１月１３日１９時〜２３時の間の録画情報を示している。なお、前記時間帯以降の録画情報を保持してもよい。そして、図３に示す録画情報は、現在（２００８年１月１３日１９時時点）録画中の番組録画とその録画に利用されているテレビチューナとして、（１）「テレビチューナ１−１ＣＨ（〜２１時）」、（２）「テレビチューナ２−４ＣＨ（〜２０時）」とが関連付けられている。また、将来録画予定の番組録画とその録画に利用されるテレビチューナとして、（３）「テレビチューナ１−８ＣＨ（２１時〜２２時）」、（４）「テレビチューナ１−１ＣＨ（２２時〜２３時）」とが関連付けられている。
【００２８】
「変更情報取得部」（０２０４）は、録画されるテレビ放送番組の放送時間変更を示す情報である変更情報を取得するよう構成されている。「録画されるテレビ放送番組」とは、現在録画中のテレビ放送番組と、将来録画予定のテレビ放送番組の両方を含む概念である。すなわち、変更情報取得部（０２０４）は、現在録画中のテレビ放送番組の放送時間変更を示す変更情報と、将来録画予定のテレビ放送番組の放送時間変更を示す変更情報の両方を取得する。「変更情報」は、録画されるテレビ放送番組の変更後の「放送開始時間」及び／又は「放送終了時間」で示される。
【００２９】
ここで、変更情報取得部（０２０４）が変更情報を取得する手段としては、例えば、ＥＰＧを利用することで実現することができる。具体的には、以下のようにして実現してもよい。まず、変更情報取得部（０２０４）は、録画されるテレビ放送番組の番組名をＥＰＧから取得しておく。そして、テレビ放送番組の放送時間変更に伴い番組放送スケジュールを更新した新たなＥＰＧを取得すると、前記取得しておいた番組名を利用して録画されるテレビ放送番組を検索し、放送開始時間と放送終了時間を取得する。その後、取得した放送開始時間及び放送終了時間と、当初予定のそのテレビ放送番組の放送開始時間と放送終了時間を比較する。比較の結果、同じであれば変更なしと判断する。一方、比較の結果、異なれば、新たに取得した放送開始時間と放送終了時間を、変更情報として取得する。なお、前記はあくまで一例であり、その他の手段により変更情報を取得してもよい。
【００３０】
「第一判断部」（０２０５）は、取得した変更情報と録画情報とから、変更された放送時間帯の録画を継続すれば、他の録画で利用するテレビチューナを占有することになるか判断するよう構成されている。以下、図３を用いて、第一判断部（０２０５）の判断の処理について説明する。
【００３１】
例えば、録画情報保持部（０２０３）が、図３のような録画情報を保持しており、変更情報取得部（０２０４）が、テレビチューナ１を利用して現在録画中のテレビ放送番組「１ＣＨ（スポーツ）」の放送終了時間が「２１時３０分」に変更された旨の変更情報を取得したケースを考えてみる。
【００３２】
本ケースの場合の「変更された放送時間帯」とは、テレビ放送番組「１ＣＨ（スポーツ）」の「２１時〜２１時３０分」の放送時間帯が該当する。また、「変更された放送時間帯の録画を継続すれば」とは、「変更前の時間帯（１９時〜２１時）の録画に利用したテレビチューナ（チューナ１）を利用して録画を継続すれば」という意味である。本ケースの場合、図３の録画情報に示すように、前記変更された放送時間帯（２１時〜２１時３０分）に、テレビチューナ１と関連付けられている番組録画（８ＣＨ（バラエティー））があるため、第一判断部（０２０５）は、『変更された放送時間帯の録画を継続すれば、他の録画で利用するテレビチューナを占有することになる（以下、単に「占有する」という）』と判断する。
【００３３】
次に、録画情報保持部（０２０３）が、図３のような録画情報を保持しており、変更情報取得部（０２０４）が、テレビチューナ２を利用して現在録画中のテレビ放送番組「４ＣＨ（スポーツ）」の、放送終了時間が「２０時３０分」に変更した旨の変更情報を取得したケースを考えてみる。
【００３４】
本ケースの場合の「変更された放送時間帯」は、テレビ放送番組「４ＣＨ（スポーツ）」の「２０時〜２０時３０分」の放送時間帯が該当し、前記変更された放送時間帯にテレビチューナ２と関連付けられている番組録画はないので、第一判断部（０２０５）は、『変更された放送時間帯の録画を継続すれば、他の録画で利用するテレビチューナを占有することにならない（以下、単に「占有しない」という）』と判断する。
【００３５】
なお、前記は、現在録画中の番組録画の放送終了時間が後ろにずれた場合を例にとり説明したが、将来録画予定（予約録画）の番組録画の放送開始時間及び放送終了時間が後ろにずれた場合も、第一判断部（０２０５）は、前記に準じて同様の判断を行う。例えば、図３の録画情報に示すように、将来録画予定の「１ＣＨ（ドラマ）」（当初放送時間：２２時〜２３時００分）が、その前のテレビ放送番組「１ＣＨ（スポーツ）」の放送時間延長により、「２２時３０分〜２３時３０分」に放送時間帯が変更したとする。かかる場合の「変更された放送時間帯」は、「２３時〜２３時３０分」が該当する。そして、第一判断部（０２０５）は、かかる時間帯に、テレビチューナ１と関連付けられている番組録画があるか確認し、本ケースの場合『占有しない』と判断することとなる。
【００３６】
ここで、第一判断部（０２０５）が『占有しない』と判断した場合、録画装置（０２００）は、変更した放送時間帯の録画を継続するように録画情報（図３参照）を書き換えてもよい。そして、録画部（０２０２）は、書き換えられた録画情報に従い、変更前の時間帯の録画に利用したテレビチューナと同じチューナを利用して、放送時間が変更されたテレビ放送番組の録画を継続してもよい。一方、『占有する』と判断した場合には、以下で説明する「第二判断部」（０２０６）にその旨が通知され、第二判断部（０２０６）での処理が実行されることとなる。
【００３７】
「第二判断部」（０２０６）は、第一判断部（０２０５）での判断結果が占有するとの判断結果である場合、変更した放送時間帯の録画に利用可能な他のテレビチューナがあるか録画情報に基づいて判断するよう構成されている。なお、第二判断部（０２０６）は、「チャンネル判断手段」を有し、チャンネル判断手段の判断結果に応じて、変更した放送時間帯の録画に利用可能な他のテレビチューナがあるか判断するよう構成してもよい。
【００３８】
以下、図３、図４（Ａ）（Ｂ）を用いて、第二判断部（０２０６）の判断の処理、及び、「チャンネル判断手段」を有する第二判断部（０２０６）の判断の処理について説明する。
【００３９】
例えば、録画情報保持部（０２０３）が、図３のような録画情報を保持しており、変更情報取得部（０２０４）が、テレビチューナ１を利用して現在録画中のテレビ放送番組「１ＣＨ（スポーツ）」の放送終了時間が「２１時３０分」に変更した旨の変更情報を取得したケースを考えてみる。
【００４０】
本ケースの場合、「変更された放送時間帯」はテレビ放送番組「１ＣＨ（スポーツ）」の「２１時〜２１時３０分」の放送時間帯が該当し、第一判断部（０２０５）は『占有する』と判断する。すると、第二判断部（０２０５）は、変更された放送時間帯（２１時〜２１時３０分）の録画に利用可能な他のテレビチューナがあるか判断する。本ケースの場合、変更された放送時間帯（２１時〜２１時３０分）に、テレビチューナ２と関連付けられている番組録画はないので、第二判断部（０２０６）は、『利用可能な他のテレビチューナがある（以下、単に「利用可能他チューナあり」という）』と判断する。
【００４１】
次に、録画情報保持部（０２０３）が、図４（Ａ）のような録画情報を保持しており、変更情報取得部（０２０４）が、テレビチューナ１を利用して現在録画中のテレビ放送番組「１ＣＨ（スポーツ）」の放送終了時間が「２１時３０分」に変更した旨の変更情報を取得したケースを考えてみる。
【００４２】
本ケースの場合も「変更された放送時間帯」は、テレビ放送番組「１ＣＨ（スポーツ）」の「２１時〜２１時３０分」の放送時間帯が該当し、第一判断部（０２０５）は『占有する』と判断する。そして、本ケースの場合、変更された放送時間帯（２１時〜２１時３０分）に、テレビチューナ２と関連付けられている番組録画「６ＣＨ（ドラマ）」が存在するため、第二判断部（０２０６）は、『利用可能な他のテレビチューナがない（以下、単に「利用可能他チューナなし」という）』と判断することとなる。
【００４３】
次に、「チャンネル判断手段」を有する第二判断部（０２０６）の判断の処理について説明する。
【００４４】
「チャンネル判断手段」は、録画されるテレビ放送番組の変更された放送時間帯に、他のテレビチューナを利用する他の録画がある場合、前記他の録画が、前記放送時間が変更されたテレビ放送番組と同一のテレビチャンネルで放送されるテレビ放送番組についての録画であるか判断するよう構成されている。
【００４５】
例えば、録画情報保持部（０２０３）が、図４（Ａ）のような録画情報を保持しており、変更情報取得部（０２０４）が、テレビチューナ１を利用して現在録画中のテレビ放送番組「１ＣＨ（スポーツ）」の放送終了時間が「２１時３０分」に変更した旨の変更情報を取得したケースを考えてみる。
【００４６】
本ケースの場合の「変更された放送時間帯」は、テレビ放送番組「１ＣＨ（スポーツ）」の「２１時〜２１時３０分」の放送時間帯が該当する。そして、前記時間帯に、他のテレビチューナ（テレビチューナ２）と関連付けられている番組録画「６ＣＨ（ドラマ）」が存在する。すなわち、「他のテレビチューナを利用する他の録画がある場合」に該当する。かかる場合、チャンネル判断手段は、他の録画「６ＣＨ（ドラマ）」と、放送時間が変更された録画されるテレビ放送番組「１ＣＨ（スポーツ）」のテレビチャンネルが同一であるか判断する。本ケースの場合、「６ＣＨ」と「１ＣＨ」で異なるので、『非同一』と判断する。そして、第二判断部（０２０６）は、チャンネル判断手段が『非同一』と判断した場合には『利用可能他チューナなし』と判断する。
【００４７】
次に、録画情報保持部（０２０３）が、図４（Ｂ）のような録画情報を保持しており、変更情報取得部（０２０４）が、テレビチューナ１を利用して現在録画中のテレビ放送番組「１ＣＨ（スポーツ）」の放送終了時間が「２１時３０分」に変更した旨の変更情報を取得したケースを考えてみる。
【００４８】
本ケースの場合の「変更された放送時間帯」もテレビ放送番組「１ＣＨ（スポーツ）」の「２１時〜２１時３０分」の放送時間帯が該当し、前記時間帯に、他のテレビチューナ（テレビチューナ２）と関連付けられている番組録画「１ＣＨ（ドラマ）」が存在する。そして、本ケースの場合は、他の録画「１ＣＨ（ドラマ）」と、放送時間が変更された録画されるテレビ放送番組「１ＣＨ（スポーツ）」のテレビチャンネルが同一であるため、チャンネル判断手段は、『同一』と判断する。そして、第二判断部（０２０６）は、チャンネル判断手段が『同一』と判断した場合には『利用可能他チューナあり』と判断する。
【００４９】
なお、前記図３、図４（Ａ）（Ｂ）を用いての説明は、録画装置が２つのテレビチューナを有する例をとり説明したが、それ以上の数のテレビチューナを有している場合も、同様の処理がなされることとなる。
【００５０】
「録画情報書込部」（０２０７）は、第二判断部（０２０６）での判断結果が利用可能な他のテレビチューナありとの判断結果である場合、その利用可能な他のテレビチューナを利用して変更された放送時間帯の録画を行うよう録画情報保持部（０２０３）に書き込むよう構成されている。なお、利用可能な他のテレビチューナを利用して変更された放送時間帯の録画を行うよう録画情報に書き込むと、録画部（０２０２）は書き込まれた内容に従い、利用可能な他のテレビチューナを利用して変更された放送時間帯の録画を実行することとなる。
【００５１】
「結合部」（０２０８）は、第二判断部（０２０６）での利用可能な他のテレビチューナありとの判断結果に基づいて、異なるテレビチューナにて録画されたテレビ放送番組コンテンツの事前予定時間帯部分と、変更時間帯部分とを、録画終了後に一つのファイルとなるように結合するよう構成されている。
【００５２】
例えば、録画情報保持部（０２０３）が、図３のような録画情報を保持しており、変更情報取得部（０２０４）が、テレビチューナ１を利用して現在録画中のテレビ放送番組「１ＣＨ（スポーツ）」の放送終了時間が「２１時３０分」に変更した旨の変更情報を取得したケースを考えてみる。かかる場合、テレビ放送番組「１ＣＨ（スポーツ）」の『１９時〜２１時』の時間帯はテレビチューナ１を利用して録画され、『２１時〜２１時３０分』の時間帯はテレビチューナ２を利用して録画されることとなる。かかる場合、『１９時〜２１時』の時間帯を録画したテレビ放送番組コンテンツが「事前予定時間帯部分」に該当し、『２１時〜２１時３０分』の時間帯を録画したテレビ放送番組コンテンツが「変更時間帯部分」に該当する。
【００５３】
結合部（０２０８）は、前記別々のチューナで録画され、別々のファイルとして保存されている「事前予定時間帯部分」と「変更時間帯部分」のテレビ放送番組コンテンツを結合し、一つのファイルにして保存する。当然、「事前予定時間帯部分」と「変更時間帯部分」との結合は、テレビ放送番組コンテンツの時間軸に従い、それらの前後関係を決定して結合される。その結果、前記録画したテレビ放送番組コンテンツを再生し視聴するユーザは、別々のチューナで録画されたことによる違和感などなく、コンテンツを楽しむことが可能となる。
【００５４】
なお、結合部（０２０８）は、前記結合処理を録画終了後に実行する。このように構成することで、録画装置（０２００）が一度に行う処理量を少なくすることが可能となり、録画装置のデータ処理負担を軽減することが可能となる。
【００５５】
「一覧情報保持部」（０２０９）は、録画部（０２０２）に録画されたテレビ放送番組コンテンツのファイルの一覧情報を保持するよう構成されている。「一覧情報」で示される情報としては、録画日時（録画開始時間・終了時間）や、テレビ放送番組名、出演者、あらすじ、などが考えられる。なお、前記列挙はあくまで一例であり、他の情報を含んでもよいし、前記列挙の中の一以上を含まなくてもよい。テレビ放送番組名などの情報は、ＥＰＧから取得することで実現できる。
【００５６】
「修正部」（０２１０）は、結合部（０２０８）による結合がある場合、その結合に応じてファイルの一覧情報を修正するよう構成されている。ここで、別々のテレビチューナで録画されたテレビ放送番組コンテンツの「事前予定時間帯部分」と「変更時間帯部分」は、録画終了時点では別々のファイルとして保存される。よって、それぞれのファイルの一覧情報が一覧情報保持部（０２０９）に保持されることとなる。修正部（０２１０）は、結合部（０２０８）が「事前予定時間帯部分」のファイルと「変更時間帯部分」のファイルを結合し一つのファイルにすると、それに応じて、一覧情報の中に含まれる「事前予定時間帯部分」のファイルの情報と、「変更時間帯部分」のファイルの情報を一つのファイルの情報とする修正処理を実行する。
<本実施例のハードウェア構成>
【００５７】
図５に示すように、本実施形態の「録画装置」は、「チューナ部」、「録画部」、「録画情報保持部」、「変更情報取得部」、「第一判断部」、「第二判断部」、「録画情報書込部」、「結合部」、「一覧情報保持部」、「修正部」、「第二判断部」の「チャンネル判断手段」などを構成する、「ＣＰＵ」（０５０１）、「主記憶装置」（０５０２）、「プログラム記憶装置」（０５０３）、「２次記憶装置」（０５０４）、「ユーザＩ／Ｆ」（０５０５）、「ＴＶチューナ部」（０５０６）、「外部機器Ｉ／Ｆ」（０５０７）、「ＨＤＤ」（０５０８）、「バス」（０５０９）などを備えている。以下、本実施形態の録画装置が行う処理の一例について説明する。
【００５８】
まず、ＴＶチューナ（０５０６）を介して受信した放送波に重畳されてきたＥＰＧを取得すると、主記憶装置（０５０２）のワーク領域に展開された変更情報取得プログラムに従い、ＥＰＧを利用して、録画されるテレビ放送番組の放送時間変更を示す情報である変更情報を取得する。前記変更情報取得の具体例としては、例えば、録画情報として保持されている番組録画の番組名を保持しておく。そして、ＥＰＧを取得すると、前記番組名を利用してＥＰＧを検索し、そのテレビ放送番組の放送開始時間及び放送終了時間を示す情報を取得する。その後、取得した放送開始時間及び放送終了時間と、当初予定のそのテレビ放送番組の放送開始時間と放送終了時間を大小比較する。そして、比較の結果、放送開始時間及び放送終了時間のいずれか一方でも異なれば、新たに取得した放送開始時間と放送終了時間を、変更情報として取得し、主記憶装置（０５０２）のデータ領域に格納する。
【００５９】
変更情報を取得すると、主記憶装置（０５０２）のワーク領域に展開された録画設定プログラムに従い、主記憶装置（０５０２）のデータ領域に格納されている変更情報と録画情報を利用し、変更された放送時間帯の録画を継続すれば、他の録画で利用するテレビチューナを占有することになるか判断する。判断の結果が『占有しない』であった場合、変更された放送時間帯の録画を、変更前の時間帯の録画に利用したテレビチューナと同じチューナを利用して継続するよう録画情報を書き換える。一方、判断の結果が『占有する』であった場合、主記憶装置（０５０２）のワーク領域に展開された録画設定プログラムに従い、変更された放送時間帯の録画に利用可能な他のテレビチューナがあるか、主記憶装置（０５０２）のデータ領域に格納されている録画情報に基づいて判断する。
【００６０】
そして、判断の結果が『利用可能他チューナあり』であった場合、変更された放送時間帯の録画を、前記利用可能と判断した他チューナを利用して実行するよう録画情報を書き換える。一方、判断の結果が『利用可能他チューナなし』であった場合、その旨を示す情報を、録画装置のディスプレイ又は録画装置に接続された外部機器のディスプレイなどに出力する。その後、主記憶装置（０５０２）のワーク領域に展開された録画プログラムに従い、書き換えられた録画情報に基づいて録画を実行し、録画したテレビ放送番組コンテンツをＨＤＤ（０５０８）などに格納していく。
【００６１】
その後、一つのテレビ放送番組のコンテンツが、別々のチューナで録画したことにより別々のファイルとして格納されている場合には、主記憶装置（０５０２）のワーク領域に展開された編集プログラムに従い、前記二つのファイルを一つのファイルとなるように結合する。そして、ＨＤＤ（０５０８）に格納されている録画されたテレビ放送番組コンテンツのファイルの一覧情報を、前記結合編集に応じて書き換える。なお、前記編集処理は、録画処理を実行していない間に実行される。
<本実施例の処理の流れ>
【００６２】
本実施例の録画装置の処理の流れの一例を図６のフローチャートを用いて説明する。
【００６３】
まず、本実施例の録画装置は、録画されるテレビ番組放送の放送時間変更を示す情報である変更情報を取得すると（Ｓ０６０１）、ステップＳ０６０２に進む。変更情報の取得は、例えば、番組録画とその録画に利用するテレビチューナを関連付けた録画情報を利用して録画されるテレビ番組放送を識別する。そして、ＥＰＧを利用し、前記識別したテレビ番組放送の放送開始時間及び／又は放送終了時間が変更されたか判断し、変更されたと判断した場合には変更後の放送開始時間及び／又は放送終了時間を、変更情報としてＥＰＧから取得する。
【００６４】
ステップＳ０６０２では、ステップＳ０６０１で取得した変更情報と、あらかじめ保持している録画情報とから、変更された放送時間帯の録画を継続すれば、他の録画で利用するテレビチューナを占有することになるか判断する。「変更された放送時間帯の録画を継続すれば」とは、「変更前の時間帯の録画に利用したテレビチューナを利用して録画を継続すれば」という意味である。判断の結果が『占有しない』である場合には、ステップＳ０６０３に進む。一方、判断の結果が『占有する』である場合には、ステップＳ０６０４に進む。
【００６５】
ステップＳ０６０３では、変更された放送時間帯の録画を、変更前の時間帯の録画に利用したテレビチューナを利用して継続するよう録画情報に書き込む。そして、ステップＳ０６０７に進む。ステップＳ０６０４では、変更された放送時間帯の録画に利用可能な他のテレビチューナがあるか、録画情報を利用して判断する。判断の結果が『利用可能他チューナあり』である場合には、ステップＳ０６０５に進む。一方、判断の結果が『利用可能他チューナなし』である場合には、ステップＳ０６０６に進む。
【００６６】
ステップＳ０６０５では、利用可能な他のテレビチューナを利用して、変更された放送時間帯の録画を実行するよう録画情報に書き込む。そして、ステップＳ０６０７に進む。ステップＳ０６０６では、回避不可能な録画齟齬が発生することをユーザに警告する。具体的には、録画装置のディスプレイや録画装置に接続された外部機器のディスプレイにその旨を示す情報を表示したり、又は、その旨の情報を音声により出力したりする。又は、その旨を示す情報を、あらかじめ録画装置に登録しておいたユーザのメールアドレスに送信してもよい。そして、ステップＳ０６０７に進む。
【００６７】
ステップＳ０６０７では、録画情報に基づいて、テレビ放送番組の録画を実行する。その後、一つのテレビ放送番組のコンテンツが、別々のチューナで録画したことにより別々のファイルとして格納されている場合には、前記二つのファイルを一つのファイルとなるように結合したり、録画されたテレビ放送番組コンテンツのファイルの一覧情報を、前記結合編集に応じて書き換えたりする。なお、前記処理は、録画処理を実行していない間に実行される。
【符号の説明】
【００６８】
０２００：録画装置、０２０１：チューナ部、０２０２：録画部、０２０３：録画情報保持部、０２０４：変更情報取得部、０２０５：第一判断部、０２０６：第二判断部、０２０７：録画情報書込部、０２０８：結合部、０２０９：一覧情報保持部、０２１０：修正部
【図１】
2010171687.tif 000003
【図２】
2010171687.tif 000004
【図３】
2010171687.tif 000005
【図４】
2010171687.tif 000006
【図５】
2010171687.tif 000007
【図６】
2010171687.tif 000008